(57)【要約】【課題】プリント基板のスルーホールとの接触位置のズレを抑えて接続信頼性に優れるプレスフィット端子を提供する。【解決手段】プリント基板のスルーホールに圧入接続される基板接続部１２と、他の接続端子に接続される端子接続部１４と、これらの間を連結する連結部１６と、を有し、基板接続部１２のスルーホールに圧入接続される部分が、両側に膨出する一対の膨出片１８ａ，１８ｂからなり、その膨出片１８ａ，１８ｂの膨出方向の外側面が、スルーホールの内周面の接点部に接触する接点部２０ａ，２０ｂとなり、連結部１６が、膨出片１８ａ，１８ｂの膨出方向に曲がる曲部２６を有し、曲部２６と膨出片１８ａ，１８ｂとの間に、基板接続部１２をプリント基板のスルーホールに圧入接続する際の荷重を受ける支持用ジグを受ける受部２８を備えたプレスフィット端子１０とする。【選択図】図１
2015079584.tif 000002
【特許請求の範囲】
【請求項１】
プリント基板のスルーホールに圧入接続される基板接続部と、他の接続端子に接続される端子接続部と、これらの間を連結する連結部と、を有し、
前記基板接続部のスルーホールに圧入接続される部分が、両側に膨出する一対の膨出片からなり、その膨出片の膨出方向の外側面が、前記スルーホールの内周面の接点部に接触する接点部となり、
前記連結部が、前記膨出片の膨出方向に曲がる曲部を有し、
前記曲部と前記膨出片との間に、前記基板接続部を前記プリント基板のスルーホールに圧入接続する際の荷重を受ける支持用ジグを受ける受部を備えたことを特徴とするプレスフィット端子。
【請求項２】
前記受部が、前記膨出片の膨出方向に突出する突出片となっていることを特徴とする請求項１に記載のプレスフィット端子。
【請求項３】
前記曲部が、前記膨出片の膨出方向に湾曲あるいは屈曲するもの、または、軸線方向に弦巻状になるものであることを特徴とする請求項１または２に記載のプレスフィット端子。
【請求項４】
請求項１から３のいずれか１項に記載のプレスフィット端子の端子接続部をコネクタハウジングに固定した後、支持用ジグを前記プレスフィット端子の受部に端子接続部側から当てて前記プレスフィット端子の曲部よりも基板接続部側を前記支持用ジグにより固定した状態で、前記プレスフィット端子の基板接続部を前記プリント基板のスルーホールに圧入接続することを特徴とするプレスフィット端子の取り付け方法。
【発明の詳細な説明】
【技術分野】
【０００１】
本発明は、プレスフィット端子およびプレスフィット端子の取り付け方法に関するものである。
【背景技術】
【０００２】
従来、プリント基板のスルーホールに挿入されてその内周に形成された接点部との間で電気的接続を取るために用いられる端子として、はんだ付けを行わずにスルーホールに圧入して接触固定するようにしたプレスフィット端子が知られている。接続に際しはんだ付けを行わないことで、プリント基板や周辺部品への熱の影響が抑えられる。
【０００３】
例えば特許文献１に記載されたプレスフィット端子７０は、図６に示すように、スルーホールの内周に形成された接点部と電気的に接触する圧接部が両側に膨出した一対の膨出片７２ａ，７２ｂからなっている。この圧接部から連結部７６を介して他の端子等と接続される端子接続部７４を有している。
【先行技術文献】
【特許文献】
【０００４】
【特許文献１】特開２００５−２５９５０３号公報
【発明の概要】
【発明が解決しようとする課題】
【０００５】
プレスフィット端子は、はんだ付けを行わずにスルーホールに圧入して接触固定することから、プレスフィット端子とスルーホールの接触位置の制御が重要である。しかし、端子挿入時のスルーホール位置と端子位置の位置ズレ、端子挿入後における振動やプリント基板と端子の熱膨張差の影響などで、接触位置が移動するおそれがある。そうすると、接続信頼性が得られない。
【０００６】
本発明の解決しようとする課題は、プリント基板のスルーホールとの接触位置のズレを抑えて接続信頼性に優れるプレスフィット端子を提供することにある。また、このプレスフィット端子を用いて行うプレスフィット端子の取り付け方法を提供することにある。
【課題を解決するための手段】
【０００７】
上記課題を解決するため本発明に係るプレスフィット端子は、プリント基板のスルーホールに圧入接続される基板接続部と、他の接続端子に接続される端子接続部と、これらの間を連結する連結部と、を有し、前記基板接続部のスルーホールに圧入接続される部分が、両側に膨出する一対の膨出片からなり、その膨出片の膨出方向の外側面が、前記スルーホールの内周面の接点部に接触する接点部となり、前記連結部が、前記膨出片の膨出方向に曲がる曲部を有し、前記曲部と前記膨出片との間に、前記基板接続部を前記プリント基板のスルーホールに圧入接続する際の荷重を受ける支持用ジグを受ける受部を備えたことを要旨とするものである。
【０００８】
この場合、前記受部が、前記膨出片の膨出方向に突出する突出片となっていることが好ましい。
【０００９】
また、前記曲部が、前記膨出片の膨出方向に湾曲あるいは屈曲するもの、または、軸線方向に弦巻状になるものであることが好ましい。
【００１０】
そして、本発明に係るプレスフィット端子の取り付け方法は、前記プレスフィット端子の端子接続部をコネクタハウジングに固定した後、支持用ジグを前記プレスフィット端子の受部に端子接続部側から当てて前記プレスフィット端子の曲部よりも基板接続部側を前記支持用ジグにより固定した状態で、前記プレスフィット端子の基板接続部を前記プリント基板のスルーホールに圧入接続することを要旨とするものである。
【発明の効果】
【００１１】
本発明に係るプレスフィット端子によれば、プリント基板のスルーホールに圧入接続される基板接続部と他の接続端子に接続される端子接続部との間を連結する連結部に膨出片の膨出方向に曲がる曲部を設けたことで、この曲部が緩衝部となり、端子挿入時のスルーホール位置と端子位置の位置ズレを修正することができる。また、端子挿入後における振動やプリント基板と端子の熱膨張差の影響などで接触位置が移動するおそれに対し、接触位置のズレを抑えることができる。
【００１２】
そして、この曲部と基板接続部の膨出片との間に、基板接続部をプリント基板のスルーホールに圧入接続する際の荷重を受ける支持用ジグを受ける受部を備えたことで、端子挿入時に支持用ジグで基板接続部をプリント基板のスルーホールに圧入接続する際の荷重を受けることができる。つまり、この曲部が端子挿入の妨げとならないので、端子挿入を行うことができる。
【００１３】
この場合、前記受部が前記膨出片の膨出方向に突出する突出片となっていると、膨出片の膨出方向に曲がる曲部による回転移動を抑えるため、端子挿入時に支持用ジグで基板接続部をプリント基板のスルーホールに圧入接続する際の荷重を確実に受けることができる。
【００１４】
そして、本発明に係るプレスフィット端子の取り付け方法によれば、端子挿入時に支持用ジグで基板接続部をプリント基板のスルーホールに圧入接続する際の荷重を受けることができ、連結部の曲部が端子挿入の妨げとならないので、端子挿入を行うことができる。そして、この曲部が緩衝部となり、端子挿入時の位置ズレを修正したり、端子挿入後における振動やプリント基板と端子の熱膨張差の影響などで接触位置が移動するおそれに対し、接触位置のズレを抑えることができるので、接続信頼性に優れる接続構造を提供することができる。
【図面の簡単な説明】
【００１５】
【図１】本発明の一実施形態に係るプレスフィット端子の模式図である。
【図２】プレスフィット端子の取り付け方法を説明する模式図であり、基板接続部をプリント基板に圧入接続する前の状態を示したものである。
【図３】プレスフィット端子の取り付け方法を説明する模式図であり、基板接続部をプリント基板に圧入接続した後の状態を示したものである。
【図４】プリント基板にプレスフィット端子を接続した状態を示す模式図である。
【図５】他の実施形態に係るプレスフィット端子の模式図である。
【図６】従来のプレスフィット端子の模式図である。
【発明を実施するための形態】
【００１６】
次に、本発明の実施形態について図を用いて詳細に説明する。
【００１７】
図１は、本発明の一実施形態に係るプレスフィット端子を表したものである。プレスフィット端子１０は、導電性の金属板をプレス加工等によって所定の形状に加工したものからなる。プレスフィット端子１０は、全体的に細長い棒状に形成されており、プリント基板のスルーホールに圧入接続される基板接続部１２と、他の接続端子に接続される端子接続部１４と、これらの間を連結する連結部１６と、を有している。端子接続部１４はタブ状に形成されており、コネクタハウジングに収容されて他の接続端子との接続を行う。
【００１８】
図４に示すように、プリント基板３０の表面には、所定の導電路（図示せず）が形成され、その導電路の所定箇所に多数のスルーホール３２が開口形成されている。スルーホール３２の内周面にはメッキ処理等によって全周にわたり導電性の接点部３４が形成されている。プレスフィット端子１０は、基板接続部１２がこのスルーホール３２に挿入されることで、スルーホール３２の接点部３４を介してプリント基板３０の導電路と電気的な接触が得られる。
【００１９】
基板接続部１２のスルーホール３２に圧入接続される部分は、軸線方向と直交する方向に互いに離れるように円弧状に膨出する一対の膨出片１８ａ，１８ｂからなっている。その膨出片１８ａ，１８ｂの膨出方向の外側面が、スルーホール３２の接点部３４に接触する接点部２０ａ，２０ｂとなる。一対の膨出片１８ａ，１８ｂ間には空隙２２が形成されている。この空隙２２により、一対の膨出片１８ａ，１８ｂは径方向に押し縮められ、弾塑性変形する。そして弾性成分により弾性回復し、スルーホール３２の接点部３４との接触を保つ。一対の膨出片１８ａ，１８ｂの径方向の最大長さはスルーホール３２の内径よりも大きくなっている。一対の膨出片１８ａ，１８ｂよりも基板接続側の先端部２４は一対の膨出片１８ａ，１８ｂをスルーホール３２に案内する部分であり、その先端はスルーホール３２に挿入しやすくするように先細り状である。
【００２０】
プレスフィット端子１０において、スルーホール３２の接点部３４に接触する接点部２０ａ，２０ｂとなるのは、一対の膨出片１８ａ，１８ｂの膨出方向の外側面である。このため、図１に示す上下方向、左右方向、あるいは回転方向に基板接続部１２が移動すると、スルーホール３２の接点部３４の位置に対し、基板接続部１２の接点部２０ａ，２０ｂの位置が相対的にずれるため、接触状態が変化する。また、基板接続部１２の接点部２０ａ，２０ｂがスルーホール３２の接点部３４との間で摺動し、接点部の摩耗の原因となる。これらの結果、接点部における接触抵抗の変化（上昇等）が生じるおそれがある。
【００２１】
プレスフィット端子１０は、連結部１６に、膨出片１８ａ，１８ｂの膨出方向に半円形状に曲がる曲部２６を有している。この曲部２６は、基板接続部１２が図１の上下方向、左右方向、あるいは回転方向に移動することを許容する部分となる。この作用により、この曲部２６が緩衝部となり、端子挿入時の位置ズレを修正することができる。また、端子挿入後における振動やプリント基板３０とプレスフィット端子１０の熱膨張差の影響などで接触位置が移動するおそれに対し、接触位置のズレを抑えることができる。その結果、接触状態の変化や接触抵抗の変化（上昇等）を抑えることができる。
【００２２】
プレスフィット端子１０は、さらに、連結部１６の曲部２６と基板接続部１２の膨出片１８ａ，１８ｂとの間に受部２８を備えている。受部２８は、基板接続部１２をプリント基板３０のスルーホール３２に圧入接続する際の荷重を受ける支持用ジグを受ける部分であり、膨出片１８ａ，１８ｂの膨出方向に突出する突出片となっている。この受部２８により、端子挿入時に支持用ジグで基板接続部１２をプリント基板３０のスルーホール３２に圧入接続する際の荷重を受けることができる。つまり、この曲部２６が端子挿入の妨げとならないので、端子挿入を行うことができる。
【００２３】
次に、プレスフィット端子１０の取り付け方法を説明する。図２に示すように、まず、コネクタハウジング４０にプレスフィット端子１０の端子接続部１４を圧入固定する。次いで、支持用ジグ４２をプレスフィット端子１０の受部２８に端子接続部１４側から当てて、プレスフィット端子１０の曲部２６よりも基板接続部１２側を支持用ジグ４２により固定する。この状態で、基板押しジグ４４により、プリント基板３０をプレスフィット端子１０の上から押すことにより、図３に示すように、プレスフィット端子１０の基板接続部１２をプリント基板３０のスルーホール３２に圧入し、接続する。次いで、図４に示すように、支持用ジグ４２および基板押しジグ４４を取り除くことにより、プレスフィット端子１０の取り付けが完成する。
【００２４】
支持用ジグ４２は、特に限定されるものではないが、プレスフィット端子１０の受部２８を支持する支持面４２ａと、支持面４２ａから垂直方向に延びてコネクタハウジング４０の端子接続部１４が圧入されている面に当接する脚部４２ｂとを有する。支持面４０ａには、プレスフィット端子１０の連結部１６を通すための切欠部４２ｃが形成されている。
【００２５】
このようなプレスフィット端子１０の取り付け方法によれば、端子挿入時に支持用ジグ４２で基板接続部１２をプリント基板３０のスルーホール３２に圧入接続する際の荷重を受けることができ、連結部１６の曲部２６が端子挿入の妨げとならないので、端子挿入を行うことができる。そして、この曲部２６が緩衝部となり、端子挿入時の位置ズレを修正したり、端子挿入後における振動やプリント基板３０とプレスフィット端子１０の熱膨張差の影響などで接触位置が移動するおそれに対し、接触位置のズレを抑えることができるので、接続信頼性に優れる接続構造を提供することができる。
【００２６】
そして、プレスフィット接続をプリント基板への端子接続方法として採用することで、プリント基板への端子接続に際し、はんだ付けなどの熱を加える接続手段を用いなくて済む。これにより、周辺部品へのフローはんだ時の熱の影響を心配する必要がない。
【００２７】
なお、プレスフィット端子の曲部の形状としては、その作用を発揮するものとして膨出片の膨出方向に曲がるものであればよく、図１に示すものに限定されるものではない。
【００２８】
プレスフィット端子の曲部は、例えば図５（ａ）に示すように、軸線方向に弦巻状になるバネ５２であってもよいし、図５（ｂ）に示すように、曲線状に蛇行するもの（湾曲するもの）５４であってもよいし、図５（ｃ）（ｄ）に示すように、三角状あるいは四角状に屈曲するもの５６，５８であってもよいし、図５（ｅ）に示すように、半円よりも緩やかに曲がる湾曲状のもの６０であってもよい。例えば、軸線方向に弦巻状になるバネ５２であると、膨出片の膨出方向に曲がる成分だけでなく膨出片の膨出方向と直交する方向に曲がる成分も有するので、面外方向に位置がズレる場合にもズレを吸収することができる。また、曲線状や屈曲状に蛇行するものは、左右両方向からの力に対し、均等に緩衝することができる。
【００２９】
以上、本発明の実施の形態について詳細に説明したが、本発明は上記実施の形態に何ら限定されるものではなく、本発明の要旨を逸脱しない範囲で種々の改変が可能である。
【００３０】
例えば、図１に示すプレスフィット端子１０は、受部２８が膨出片１８ａ，１８ｂの膨出方向に突出する突出片となっているが、支持用ジグを受けることができるのであれば、膨出片１８ａ，１８ｂの膨出方向と直交する方向（面外方向）に突出するものであってもよい。
【符号の説明】
【００３１】
１０  プレスフィット端子
１２  基板接続部
１４  端子接続部
１６  連結部
１８ａ，１８ｂ  膨出片
２０ａ，２０ｂ  基板接続部の接点部
２６  曲部
２８  受部
３０  プリント基板
３２  スルーホール
３４  スルーホールの接点部
【図１】
2015079584.tif 000003
【図２】
2015079584.tif 000004
【図３】
2015079584.tif 000005
【図４】
2015079584.tif 000006
【図５】
2015079584.tif 000007
【図６】
2015079584.tif 000008